Podtech/llm-jp-corpus-v4-ja_patent huggingface dataset:
(57)【要約】【課題】医薬品の創製には、その製剤工程において、なんらかの形で化合物を溶解させることが必須であり、また薬剤のバイオアベイラビリティーの増大にも溶解性が重要である。しかし、医薬品原料となる化合物は、難溶性であるものが多く、溶解剤が種々検討されているが不十分である。【解決手段】今回の我々が検討した結果、陽イオンと陰イオンの塩であって低温において溶液状態を呈する化合物であるイオン性液体の難溶性の医薬品原料の化合物に対するすぐれた溶解性を見出した。イオン性液体は、医薬品の溶解剤としてあらたなものであり、かつ広く利用可能なものである。その結果、難溶性の医薬品原料の化合物の溶解性を向上させ、生体吸収性、バイオアベイラビリティーの制限要因を大きく上昇させることが可能となった。【特許請求の範囲】
【請求項１】
医薬品原体に対しイオン性液体を溶解剤として用いる製剤技術、及び常温性イオン性液体を含有する医薬組成物
【請求項２】
請求項１におけるイオン性液体がイミダゾリウム系である医薬品組成物
【発明の詳細な説明】
【技術分野】
【０００１】
本発明は、医薬品原体の新たな溶解剤としての常温性イオン性液体の利用方法を提供するものであり、更には常温性イオン性液体を溶解剤として利用する新規な医薬品粗生物の提供に関するものである。
【背景技術】
【０００２】
医薬品は、人体内に入って薬理作用を発揮するものであり、その送付方法としては、注射、経口投与、及び座剤、経皮、経肺など局所投与などが知られているが、いずれの投与法においても、安定した製剤が医薬品として必須な条件となる。
医薬品原体の製剤化において、薬剤を溶解することがその製剤化の過程で重要な要素であることは、本領域の研究者にとって共通したものである。さらに、注射剤はもちろんのこと、経口剤、局所剤においても、化合物の溶解性が、生体吸収性、バイオアベイラビリティーの制限要因を大きく上昇させることもよく知られた事実である。
【０００３】
しかし、医薬品原体には難溶性の化合物が多く、そのため、溶解状態を改善し、薬剤のバイオアベイラビリティーを増大させるために、様々な技術が改善されてきた。一般的には微粒子化して薬剤と用剤の接触面積をあげる方法がある。また、種々の溶解剤を添加して化合物の溶解性を向上させるものがある。溶解剤としては、界面活性剤、サイクロデキストリンなどが知られているが、まだまだ課題が多く、十分なものとは言い難いのが現状である。
【０００４】
一方、最近常温性イオン性液体が新たな溶媒として注目を浴びている。すなわち陽イオンと陰イオンがイオン結合をしている化合物で、常温において溶液状態を呈するものを常温イオン性液体と定義される。その際のイオンの組み合わせとしては、有機骨格を有する陽イオンと無機陰イオン、無機陽イオンと有機骨格を有する陰イオン、ともに有機骨格を有する陽、陰イオンの組み合わせが考えられる。これら1群の常温性イオン性液体は、種々の特性が報告されている。そのひとつとして、他成分を溶融する特性が知られている。しかし、この常温性イオン性液体の他の化合物を溶解する技術を医薬品化合物に応用した事例は、いまだ報告されていない。
【発明の開示】
【発明が解決しようとする課題】
【０００５】
本発明の解決課題は、医薬品用化合物の製剤過程、及びその薬剤の生体内バイオアベイラビリティーにおいて、薬物の新たな溶解技術を提供し、更にはバイオアベイラビリティーをあげることによって薬剤の持つ有用性を増大させる医薬組成物を提供することである。
【課題を解決するための手段】
【０００６】
本発明者らは、イオン性液体のもつ化合物を溶解する性質に着目し鋭意研究し、非常に幅広い常温性イオン性液体が、難溶性が課題である多くの医薬品原体を、非常に幅広く溶解することを見出した。この常温性イオン性液体の持つ高い溶解性は、当初の予想を大きく上回るものであり、医薬品領域における溶解剤に大きな転機をもたらす可能性を提供している。即ち、本発明は、難溶性のために製剤化の困難性を抱える医薬品原体、あるいは難溶性のために、臨床使用時に課題を抱える医薬品に対して、画期的な溶解方法を提示するものであり、更には、有用性の高い新たな医薬組成物を提供するものである。
【発明の効果】
【０００７】
本発明は、難溶性医薬品原体に対し、溶解改善を通じ製剤技術の改良方法を提供することができる。更にその新たな製剤により、医薬品原体の持つ有用性を高めた新規な医薬品の創製手段を提供する。
【発明を実施するための最良の形態】
【０００８】
本発明に係るイオン性液体は、陽イオンと陰イオンの塩であって低温で液状となる物質であれば何でもよいが、特に常温において溶液状態を呈する常温性イオン性液体であることが好ましい。また、イオン性液体を特に限定はしないが、具体例として１−ｂｕｔｙｌ−３−ｍｅｔｈｙｌ−１Ｈ−ｉｍｉｄａｚｏｌｉｕｍ ｂｒｏｍｉｄｅに代表されるイミダゾリウム系イオン性液体、ピリジニウム系イオン性液体および脂肪族系イオン性液体等を利用することが可能である。
【０００９】
また、本発明にかかわる医薬品としては特に限定されないが、製剤工程、臨床応用の中で、その化合物の持つ難溶性のために課題を抱えている化合物全般が、対象として可能であり、特に、ペプチドなどの生体高分子由来医薬品や天然物由来医薬品を対象とすることが可能である。
【実施例】
【００１０】
以下に、実施例及び実験例を挙げて、更に具体的に説明するが、本発明は必ずしもこれらに限定されるものではない。なお、本実施例および比較例における配合量の値は、全て質量％である。
【００１１】
（試験例１）
Ｐａｃｌｉｔａｘｅｌ（Ｔａｘｏｌ）のイミダゾリウム系イオン性液体に対する溶解性試験を検討した。Ｔａｘｏｌは植物由来の難溶性の注射制癌剤であり、卵巣がんなどに優れた効果を示す。しかし、その難溶性のために患者に投与する際には、界面活性剤であるポリオキシエチレンヒマシ油（クロモホールＥＬ）を溶解剤として添加しており、その溶媒による全身性のショックが頻繁に発症し、それを避けるために、３時間かけて点滴靜注、ショック発症予防剤の事前投与などが実施されており、きわめてコンプライアンスが悪い。そこで代表的なイオン性液体であるイミダゾリウム系イオン性液体に対するＴａｘｏｌの溶解度を検討した。
表１に用いたイミダゾリウム系イオン性液体リストアップした、イオン性液体０．１から〜０．５ｇを別々に秤量し、正確に秤量したＴａｘｏｌ原薬約１０〜２０ｇを加え、手で振りながら７０℃の水浴中で５分間加温する。不溶の場合は、イオン性液体を追加して更に加温した。溶解確認後、室温で３昼夜放置し、結晶の出ないことを確認した。表２その成績を記載した。
表２に溶解度を記載した。なお当該液体中でのＴａｘｏｌを抽出し、ＨＰＬＣで分析した結果、分解物はほとんど認められなかった。
【００１２】
【表１】
2007022942.tif 000002
【００１３】
【表２】
2007022942.tif 000003
【産業上の利用可能性】
【００１４】
医薬品の創製には製剤化が必須であり、用いる溶媒により思わぬ副作用を発症する。イオン性液体は新たな溶解剤として有用であり、既存或いは新規な医薬品の溶解剤として利用可能である。
(57)【要約】    【課題】  近年の顧客の嗜好に対応すべく、美麗な装飾効果を有する、新規な台紙付き写真の製作方法を提供することである。    【解決手段】  台紙（１２）上に１枚又は複数枚の写真（１０）を貼付する工程と、少なくとも写真全体をマスキングテープ（１４）で被覆する工程と、所望の形状が得られるように、台紙、又は、台紙及び写真を、マスキングテープの内側においてＶカットする工程と、Ｖカットした台紙の縁部（１６）をインク又は塗料に浸漬して色付けする工程と、マスキングテープを剥がす工程とを含むことを特徴とする台紙付き写真の製作方法が提供される。【選択図】  図１
2007022007.tif 000002
【特許請求の範囲】
【請求項１】
台紙付き写真の製作方法であって、
台紙上に１枚又は複数枚の写真を貼付する工程と、
少なくとも前記写真全体をマスキングテープで被覆する工程と、
所望の形状が得られるように、前記台紙、又は、前記台紙及び前記写真を、前記マスキングテープの内側においてＶカットする工程と、
Ｖカットした前記台紙の縁部をインク又は塗料に浸漬して色付けする工程と、
前記マスキングテープを剥がす工程と、
を含むことを特徴とする方法。
【請求項２】
前記色付けする工程において、前記台紙の縁部をインク又は塗料に浸漬した後に布で拭うことを含むことを特徴とする請求項１に記載の方法。
【発明の詳細な説明】
【技術分野】
【０００１】
本発明は一般に、写真の製作方法に関する。より詳細には、本発明は、台紙付き写真の製作方法に関する。
【背景技術】
【０００２】
従来、冠婚葬祭などの行事において撮影された写真は一般的に、枠付き台紙に貼って装飾した後、顧客に提供されていた。一方、近年、顧客の嗜好が、撮影した写真に一種のストーリー性を求める等の理由のため、枠付き台紙に貼られた写真から、枠なし台紙に貼られた写真に変化してきている。
【発明の開示】
【発明が解決しようとする課題】
【０００３】
本発明は、このような現状に鑑みて案出されたものであって、近年の顧客の嗜好に対応すべく、美麗な装飾効果を有する、新規な台紙付き写真の製作方法を提供することを目的とする。
【課題を解決するための手段】
【０００４】
本願請求項１に記載の台紙付き写真の製作方法は、台紙上に１枚又は複数枚の写真を貼付する工程と、少なくとも前記写真全体をマスキングテープで被覆する工程と、所望の形状が得られるように、前記台紙、又は、前記台紙及び前記写真を、前記マスキングテープの内側においてＶカットする工程と、Ｖカットした前記台紙の縁部をインク又は塗料に浸漬して色付けする工程と、前記マスキングテープを剥がす工程とを含むことを特徴とするものである。
【０００５】
本願請求項２に記載の台紙付き写真の製作方法は、前記請求項１の方法において、前記色付けする工程において、前記台紙の縁部をインク又は塗料に浸漬した後に布で拭うことを含むことを特徴とするものである。
【発明の効果】
【０００６】
本発明の方法によれば、近年の顧客の嗜好に合致した、美麗な装飾効果を有する台紙付き写真を比較的簡単かつ容易に製作することができる。
【発明を実施するための最良の形態】
【０００７】
次に、図面を参照して、本発明の好ましい実施の形態に係る台紙付き写真の製作方法について詳細に説明する。図１は、本発明の台紙付き写真の製作方法の工程を示したフロー図、図２は、本発明の製作方法を模式的に示した図である。本発明の製作方法においては、まず、台紙１２を準備する。台紙１２は、例えばチップボール紙等の任意の所望の材料で形成されている。なお、台紙１２は、貼付する写真１０よりも寸法が大きいものを準備する。
【０００８】
最初に、台紙１２上に写真１０を貼付する（工程Ａ、図２（ａ）参照）。貼付手段として、両面テープを用いてもよいし、接着剤を用いてもよい。或いは、他の方法を使用してもよい。なお、図２に示される例では、台紙１２上に貼付される写真１０は１枚であるが、複数枚の写真を台紙１２上に貼付してもよい。
【０００９】
次いで、写真１０及び台紙１２をマスキングテープ１４で被覆する（工程Ｂ、図２（ｂ）参照）。マスキングテープ１４は、後述する色付け工程において写真１０に色が付かないようにするためのものであるので、少なくとも写真１０全体を被覆する必要があるが、必ずしも台紙１２全体を被覆しなくともよい。なお、マスキングテープ１４は、色付け工程の後に剥がすので、剥がれ易い弱粘着テープを用いるのがよい。
【００１０】
次いで、所望の形状になるように、台紙１２をＶカットする（工程Ｃ、図２（ｃ）参照）。ここで、「Ｖカット」とは、図３に示されるように、台紙１２の表面から裏面に向かって側面視で斜面が形成されるようにカットすることを意味する。所望ならば、写真１０及び台紙１２をＶカットしてもよい。なお、Ｖカットする際には、マスキングテープ１４の内側から行う。
【００１１】
次いで、Ｖカットした台紙１２（又は、写真１０及び台紙１２）の縁部１６をインク又は塗料に浸漬して色付けする（工程Ｄ、図２（ｄ）参照）。なお、インク又は塗料に浸漬した後に布で拭うと、綺麗に色付けすることができる。
【００１２】
最後に、マスキングテープ１４を剥がす（工程Ｅ、図２（ｅ）参照）と、台紙付き写真が完成する（図２（ｆ）参照）。
【００１３】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００１４】
【図１】本発明の好ましい実施の形態に係る台紙付き写真の製作方法の工程を示したフロー図である。
【図２】本発明の好ましい実施の形態に係る台紙付き写真の製作方法を模式的に示した図である。
【図３】Ｖカットを説明するための拡大断面図である。
【符号の説明】
【００１５】
１０  写真
１２  台紙
１４  マスキングテープ
１６  台紙の縁部
【図１】
2007022007.tif 000003
【図２】
2007022007.tif 000004
【図３】
2007022007.tif 000005
(57)【要約】【課題】  プリンタにおいて、外乱光の影響による検出精度の劣化が少なく、ユーザーに対してインク残量の検出状況を知らせることが可能な、インク残量検出器を、簡単な構成で提供する。【解決手段】  光電式インク残量の検出器の光源に、可視光及び赤外光を同時に発光する素子を用い、インク残量検出とインク残量検出の状況表示を兼ねる。【選択図】  図１
2007022032.tif 000002
【特許請求の範囲】
【請求項１】
投光側の光源と受光側の光電変換素子と前記光源から発した光が前記光電変換素子に到達する光路中にインクタンクを配置し、
前記インクタンク内のインク残量に応じて、前記光源から発して前記光電変換素子に到達する光の強さが変化することにより、インク残量を検出する光電式インク残量の検出器で、
前記光源は、可視光及び赤外光を同時に発光する素子を用い、インク残量検出とインク残量検出の状況表示を兼ねることを特徴とするインク残量の検出器。
【請求項２】
インク残量の検出は、前記インクタンクに設けた臨界角プリズムを用いて、インク残量を検出すること特徴とする請求項１に記載のインク残量の検出器。
【発明の詳細な説明】
【技術分野】
【０００１】
本発明は、プリンタに用いる記録用インク残量の検出器に関するものである。
【背景技術】
【０００２】
従来のインク残量検出器は、投光側の光源として赤外発光ダイオード（ＬＥＤ）が用いられている。
【０００３】
赤外ＬＥＤは高出力なので、プリンタ内部に迷い込んでくる蛍光灯等からの外乱光との光量レベルが大きく異なるので、外乱光の影響を容易に排除できることが知られている。
【０００４】
又、別の従来例としては、特許文献１及び特許文献２をあげることが出来る。
【特許文献１】特開平05-032027号公報
【特許文献２】特開2002-068529号公報
【発明の開示】
【発明が解決しようとする課題】
【０００５】
しかしながらインク残量の検出器の光源として赤外ＬＥＤを用いた場合には、その光は可視域外にあるので目視で確認することが出来ず、複数のインクタンクの残量検出を一つのインク残量検出器で行う場合、どのインクタンクを検出しているのか目視では確認できず、またインク残量に応じた残量状況表示をすることができないという欠点があった。
【０００６】
本発明は、このような従来の問題点に鑑みてなされたものであって、外乱光の影響による検出精度の劣化が少なく、しかも簡単な構成で、ユーザーに対してインク残量の検出状況を知らせることが可能な、インク残量検出器を提供することにある。
【課題を解決するための手段】
【０００７】
インク残量を検出する光電式インク残量の検出器で、光源に可視光及び赤外光を同時に発光する素子を用いて、インク残量検出とインク残量検出の状況表示を兼ね備えた。
【発明の効果】
【０００８】
以上説明したように本発明によれば、
光電式インク残量の検出器の光源に、可視光及び赤外光を同時に発光する素子を用い、インク残量検出とインク残量検出の状況表示を兼ねることにより、
外乱光の影響による検出精度の劣化が少なく、ユーザーに対してインク残量の検出状況を知らせることが可能な、インク残量検出器を、簡単な構成で提供することが可能となった。
【０００９】
また、本発明によるインク残量検出器を用いたプリンタでは、交換するインクタンクはどれなのか、ホストコンピュータなどによる画面表示に頼ることなく、プリンタのタンク設置部を目視で確認すればよいので、確実に交換作業を実施できるユーザーの使い勝手のよいプリンタを提供することが可能となった。
【発明を実施するための最良の形態】
【００１０】
次に、本発明の詳細を実施例の記述に従って説明する。
【００１１】
図１と図２は本発明実施例のインク残量検出器の要部断面図である。
【００１２】
図１と図２で、
１は、インク残量センサ。
【００１３】
１ａは、光源。
【００１４】
１ｂは、受光素子。
【００１５】
２は、１ａ光源から発した光線の光路。
【００１６】
３は、インクタンク。
【００１７】
３１は、インクタンクに設けられた臨界角プリズムの検出部。
【００１８】
２１は、インクタンクを透過した光線の光路。
【００１９】
２２は、１ｂ受光素子に入射する光線の光路。
【００２０】
４は、インクタンク内のインク。
【００２１】
図１で、１インク残量センサは、１ａの可視光及び赤外光を同時に発光するＬＥＤと、ＬＥＤからの光を受光して光電変換を行う１ｂの受光素子からなり、１ａＬＥＤ光源から発した光は、２の１ａ光源から発した光線の光路を通り、所定の位置に配置された、光を透過するのに適したポリプロピレン等の透明樹脂からなる、３インクタンクに設けられた、３１臨界角プリズムの検出部に照射される。
【００２２】
このとき、３１インクタンクに設けられた臨界角プリズムの検出部に、照射された光は、４インクが３インクタンク内に有る場合には、臨界角プリズムの作用により３インクタンク内の４インクを透過して、３インクタンク外に２１インクタンクを透過した光線の光路を通り出射するので、インク残量検出の状況が容易に目視で認識ができる。
【００２３】
また、複数のインクタンクの検出を順次行っている場合には、どのインクの残量を検出しているのかというインク残量検出の状況も併せて、目視にて認識ができる。
【００２４】
図２は、４インクが、３インクタンク内に無い場合の光路の説明図で、１ａＬＥＤ光源から発した光は、３１インクタンクに設けられた臨界角プリズムの検出部に照射されて、臨界角プリズムの作用により、２２の１ｂ受光素子に入射する光線の光路を通り１ｂの受光素子まで到達する。
【００２５】
図３は、本インク残量の検出器を用いたプリンタの要部斜視図で、５１、５２、５３、５４複数インクタンクを搭載プリンタで、一つの１インク残量検出器を用いて、４インクの残量を順次検出するときの配置を示す。
【００２６】
このように構成されたインク残量の検出器によれば、外乱光の影響による検出精度の劣化が少なく、ユーザーに対してインク残量が有るかどうか、また、どの種類のインクが無くなったのか、という検出状況を簡単に知らせることが可能となる。
【００２７】
上述した実施の形態は、一例として掲げたものであり、本発明を限定するものではない。すなわち本発明は、前述した好ましい実施例に限られるものではなく、複数のインクタンクの残量を対応する同数のインク残量検出器を配置して用いる構成など、本発明の要旨を逸脱しない範囲で、種々の態様にて実施可能なことは言うまでもない。
【図面の簡単な説明】
【００２８】
【図１】本発明実施例のインク残量検出器の要部断面図。
【図２】本発明実施例のインク残量検出器の要部断面図。
【図３】本インク残量の検出器を用いたプリンタの要部斜視図。
【符号の説明】
【００２９】
１  インク残量センサ
１ａ  光源
１ｂ  受光素子
２  １ａ光源から発した光線
３  インクタンク
３１  検出部
２１  インクタンクを透過した光線
２２  １ｂ受光素子に入射する光線
４  インクタンク内のインク
５１、５２、５３、５４  インクタンク
【図１】
2007022032.tif 000003
【図２】
2007022032.tif 000004
【図３】
2007022032.tif 000005
(57)【要約】【課題】  装飾性に優れる携帯電話機等に貼り付け使用される装飾用シールを提供する。【解決手段】金属箔表面５上の所定位置に不透明の印刷パターン層６が形成され、印刷パターン層６が形成されなかった金属箔５表面上に透明カバー層８が形成されて構成されてなることを特徴とする装飾用シール。【選択図】  図２
2007022050.tif 000002
【特許請求の範囲】
【請求項１】
金属箔表面上の所定位置に不透明の印刷パターン層が形成され、前記印刷パターン層が形成されなかった前記金属箔表面上に透明カバー層が形成されて構成されてなることを特徴とする装飾用シール。
【発明の詳細な説明】
【技術分野】
【０００１】  この発明は、携帯電話機の表面等に装着使用する装飾用シールに関する。
【背景技術】
【０００２】  最近では携帯電話機においても高い意匠性が求められ、とくに若者の間では携帯電話機表面にシール等を貼り付けることが行なわれている。しかしながら現状のシールは高級感が無く、装飾性に乏しいものとなっている。
【発明の開示】
【発明が解決しようとする課題】
【０００３】  この発明では、装飾性に優れる携帯電話機等に貼り付け使用される装飾用シールを提供する。
【課題を解決するための手段】
【０００４】  この発明では、金属箔表面上の所定位置に不透明の印刷パターン層が形成され、前記印刷パターン層が形成されなかった前記金属箔表面上に透明カバー層が形成されて構成されてなることを特徴とする装飾用シールを提供する。【０００５】  この発明の装飾用シールは、印刷パターン層が形成されない金属箔表面が透明カバー層を通して見え、その反射光が得られることで高級感が発揮される。
【発明の効果】
【０００６】  この発明によれば、高級感が有り装飾性に優れる携帯電話機等の表面に好適に使用される装飾用シールが得られる。
【発明を実施するための最良の形態】
【０００７】  図１はこの発明の装飾用シールの外観斜視図、図２はそのＡ−Ａ端面図である。【０００８】  装飾用シール１は携帯電話機の表面の全面に装着使用されるもので、上部に携帯電話機のカメラレンズ位置に対応する切り欠き部２が形成されるとともに、略中央部に携帯電話機の時刻等の表示部位置に対応する開口３が形成されている。【０００９】  装飾用シール１はアルミ製の金属箔５の表面に不透明の印刷パターン６層が背景模様７として形成され、その印刷パターン層６の形成されなかった部分に着色剤が混入された透明カバー層８が厚盛り状態に形成され、この透明カバー層８が模様９を形成している。金属箔５としては表面に小さな模様がランダムに配置された他方向反射タイプのものを使用する。【００１０】  １０はカバーフィルム、１２はベースフィルムで、販売時等の非使用時にはそれぞれのフィルム１０、１２が装飾用シール１の上下面に粘着剤を介して貼り付けられている。使用に際しては、ベースフィルム１２を剥してその剥した面を携帯電話機表面の所定位置に強固に貼り付け、その状態においてカバーフィルム１０をゆっくり剥すことで装飾用シール１を携帯電話機の表面に貼り付けて装着する。【００１１】  装飾用シール１は、着色された透明カバー層８を通して金属箔５表面が露呈し、かつ、その表面が他方向に反射するので模様９部分が着色光によりキラキラと輝き、さらに、その模様９部分が若干盛り上がっていて立体感があるので、高級感の有るきわめて高い装飾性を発揮する。【００１２】  上記の実施形態においては、不透明の印刷パターン６層を背景模様７とし透明カバー層８を模様９としたが、逆に、透明カバー層８を背景模様７とし印刷パターン６層を模様９としてもよい。透明カバー層８に着色剤を混入しない場合は金属箔５表面からの反射光は銀色となる。
【図面の簡単な説明】
【図１】  この発明の装飾用シールの外観斜視図
【図２】  図１のＡ−Ａ位置における端面図
【符号の説明】
１  装飾用シール
５  金属箔
６  印刷パターン層
８  着色透明カバー層
【図１】
2007022050.tif 000003
【図２】
2007022050.tif 000004
(57)【要約】【課題】  平滑面に貼付するのに接着剤が不要であり、芳香機能を備え、しかも立体に形成することが容易で斬新な装飾材および装飾品を提供する。【解決手段】  熱可塑性エラストマーからなり、顔料および香料を含む装飾材ならびに適宜の形状に成形されてなることを特徴とする装飾品、好ましくは、成形形状が、星、三日月、動物、植物、建築物、その他であることを特徴とする。【選択図】  図１
2007022057.tif 000002
【特許請求の範囲】
【請求項１】
熱可塑性エラストマーからなり、顔料および香料を含むことを特徴とする装飾材。
【請求項２】
熱可塑性エラストマーからなり、顔料および香料を含み、適宜の形状に成形されてなることを特徴とする装飾品。
【請求項３】
成形形状が、星、三日月、動物、植物、建築物等であることを特徴とする請求項２に記載の装飾品。
【発明の詳細な説明】
【技術分野】
【０００１】
本発明は、平滑面に貼付自在および芳香機能を備えた装飾材および装飾品に関する。
【背景技術】
【０００２】
従来、壁面に貼付する装飾用の玩具として、タックシールの一部に硬質塩化ビニールで形成された薄片を接合し、タックシールの裏面を剥がして壁面に貼り付け、接合した薄片部を立ち上げて装飾とする立体装飾玩具（特許文献１参照）が提案されている。前記立体装飾玩具は、壁面等に貼付する手段として、裏面に接着剤が使用されている。
【特許文献１】特開２００２−３２８６０５号公報
【発明の開示】
【発明が解決しようとする課題】
【０００３】
本発明は、平滑面に対する貼付に接着剤が不要であり、さらに芳香機能を備え、しかも立体に形成することが容易で斬新な装飾材および装飾品を提供することを目的とする。
【課題を解決するための手段】
【０００４】
前記目的を達成するために、本発明の装飾材は、熱可塑性エラストマーからなり、顔料および香料を含むことを特徴とする（請求項１）。
【０００５】
前記本発明の装飾材は、熱可塑性エラストマーであり、常温でゴム弾性を有する。したがって、ガラス、タイル、鏡、その他の平滑面に押し付けると、該平滑面に容易に貼付される。すなわち、前記従来の立体装飾玩具のように壁面貼付に接着剤を必要としない。さらに適宜の立体感が得られる。
【０００６】
また、顔料を選択することにより着色が自在でカラフルである。さらに香料を含むことにより、芳香剤としても機能し、香りを楽しむことができる。
【０００７】
本発明の装飾品は、前記顔料、香料を含む熱可塑性エラストマーを適宜形状に成形して構成される（請求項２）。成形して構成される適宜の形状としては、星、三日月、動物、植物、建築物、その他、形状を問わない（請求項３）。
【０００８】
前記のごとく、本発明に係る装飾品は、取扱いが容易であり、斬新であり、各所に貼付する等して飾って楽しむことができる。
【発明の効果】
【０００９】
本発明の装飾品は、平滑面に貼付するための接着剤が不要であり、着色が自在であり、さらに芳香機能があり、前記本発明の装飾材を各種の形状に成形するだけで容易に製造が可能であり、各所に貼付および飾って楽しむことができる。
【発明を実施するための最良の形態】
【００１０】
本発明の装飾材および装飾品の製造方法の一例を述べる。素材として、熱可塑性エラストマー、白花油、顔料、香料が準備される。
【００１１】
熱可塑性エラストマー(Thermoplastic Elastmer)略称ＴＰＥは、別名称（Tetratrico Peptido Repeat）略称ＴＰＲとも呼ばれ、常温でゴム弾性を示し、高温で可塑化される樹脂が使用される。なお、主成分によって、オレフィン系（ＴＰＯ）、スチレン系（ＴＰＳ）、エステル系（ＴＰＥＥ）、ウレタン系（ＴＰＵ）、アミド系、塩化ビニール系（ＴＰＶＣ）等がある。白花油は食用を使用、顔料および香料は毒性のない市販品が使用される。
【００１２】
まず、固形のＴＰＲ樹脂１６％と白花油８２％を混合し、炉に入れて１５０〜１８０℃になるまで加熱する。その後、前記ＴＰＲ樹脂と白花油が交わり透明の液体になったことを確認して顔料１〜２％を加えて色調整を行い、同時に香料を２〜１％加えて金型に流しみ、その後、約１７℃に保持した冷却室に約１０時間保持することによって完成である。
【００１３】
なお、前記金型への流し込みに変えて、予め、シート状に構成したものを、各種の型を使って打ち抜き構成してもよい。
【００１４】
前記構成の本発明の装飾品１は、例えば、図示するように、窓２のガラス３に軽く押し付けることにより貼付され、また、取り外し、再び貼付することもでき、子供のおもちゃとして、また情操教育玩具として使用することができる。さらに家庭、各種の店舗、飲食店等の装飾品として有効である。
【産業上の利用可能性】
【００１５】
本発明の装飾品は、装飾品のほか、子供のおもちゃとして、また情操教育玩具として使用することができ、産業上の利用可能性は大である。
【図面の簡単な説明】
【００１６】
【図１】本発明の使用状態を示す斜視図である。
【符号の説明】
【００１７】
１    本発明に係るの装飾品
２    窓
３    ガラス
【図１】
2007022057.tif 000003
(57)【要約】【課題】    アルバムの内容を表す見出をどのような表材にも美しく、且つ強固に添付し得るアルバムを提供する。【解決手段】表紙の製造時に表材７とボール紙１１の間に、表材側から剥離紙８、接着剤９、接着剤の塗布されたベースの紙１０を内蔵した背部に背見出片１ａ，１ｂを添付する大きさに切り込み２ａ，２ｂを入れ、もしくは箔押し等でデザインを施してその切り込みに沿って前記の表材７と剥離紙８を剥して、別に用意してある見出し片１ａ，１ｂにタイトルを記入して添付することにより体裁の良い見出しが付けられる事を特徴とするアルバム及びその製造方法。【選択図】          図１
2007022052.tif 000002
【特許請求の範囲】
【請求項１】
表紙の製造時に表材７とボール紙１１の間に、表材側から剥離紙８、接着剤９、接着剤の塗布されたベースの紙１０を内蔵した背部に切り込み２ａ，２ｂをいれ、背側の見出片１ａ，１ｂにタイトルを記入して添付することにより，体裁の良い見出しが付けられることを特徴とするアルバム。
【請求項２】
請求項１の切込み２ａ，２ｂを入れた際、見栄えが悪くなることを防ぐため、箔押し又はシルクスリーン１２ａ，１２ｂで模様を入れることによって切り込みを見え難くし、又見出し片を貼った後も美しさが維持、強調される事を特徴とする請求項１に記載のアルバム。
【請求項３】
アルバムの表紙を製作する際、その背ボールに予めタック紙から成るベースの紙１０と接着剤９及び剥離紙８のベースの紙の方を貼り付けて置き、それの剥離紙側を表材の裏面に表表紙３用と裏表紙５用のボールと３枚並べて貼り付けて表紙を作成し、その背部に背見出しを貼るための切り込み２ａ，２ｂを入れた後、台紙６を貼り込むことによる背見出しの付けられるアルバムの製造方法。
【発明の詳細な説明】
【技術分野】
【０００１】  本発明は、アルバムに貼られた写真の内容を簡単に美しく表示する見出し片を背表紙に添付可能なアルバム及びその製造方法に関するものである。
【背景技術】
【０００２】  アルバムの見出しは本体そのものに書き込むか、タック紙に書いて直接貼るか、見出し用金具を取り付けてそれに見出片を嵌め込む方法が一般的に提案実施されている。
【発明の開示】
【発明が解決しようとする課題】
【０００３】  従来提供されている方法では次のような問題点があった。
（イ）表紙の材質により直接見出しが書け込めない。
（ロ）タック紙が貼りにくかったり、貼っても直ぐ剥がれてくる。
（ハ）金属を使うことによる違和感が生じ高級感を損なう。
【課題を解決するための手段】
【０００４】  請求項１で表紙の製造時に表材７とボール紙１１の間に、表材側から剥離紙８、接着剤９、接着剤の塗布されたベースの紙１０を内蔵した背部に切り込み２ａ，２ｂをいれ背見出片１ａ、１ｂにタイトルを記入して添付することにより体裁の良い見出しが付けられることを特徴とするアルバムを示す。
請求項２で前記の切込み２ａ，２ｂを入れた際、見栄えが悪くなることを防ぐ為箔押し又はシルクスクリーン１２ａ，１２ｂで模様を入れることによって切り込みを見え難くし、又見出し片を貼った後も美しさが維持、強調される事を特徴とする請求項１に記載のアルバムを示す。
請求項３でアルバムの表紙を製作する際、その背側に設けたボール紙１１に予めベースの紙１０と接着剤９及び剥離紙８からなるタック紙のベースの紙のほうを貼り付けて背部４を作り、それの剥離紙側を表材の裏面に表表紙３用と裏表紙５用のボール紙と３枚並べて貼り、それらを巻き込んで表紙を作成し、その背部に背見出しを貼るための切り込み２ａ，２ｂを入れた後、台紙６を貼り込むことにより背見出しが付けられるアルバムの製造方法を示す。
【発明の効果】
【０００５】  アルバムの内容を表す見出をどんな素材の表紙にも美しく、且つ強固に添付することが出来、又箔押等のデザインを施すことにより切り込みが隠され一層高級感が得られる。
【発明を実施するための最良の形態】
【０００６】  以下に本発明の一形態を図面に基づいて説明する。
図１はアルバムの背面の二箇所を切り込み線２ａ，２ｂに沿って表材を剥して内容を示した見出片１ａ，１ｂを貼り付けたけた状態を示す斜視図である。３は表表紙、４は背、５は裏表紙、６は台紙、７は表剤、８は剥離紙、９は接着剤、あ１０はベースの紙、１１はボール紙、１２は箔押を表す。
図２は２ａの切り込みに沿って７の表材と８の剥離紙８取り除いた状態の表示で９の接着剤部分が現れている状態を示している。
４は背部、７は表材、８は剥離紙、９は接着剤、１０は接着剤の塗布されたベースの紙で、この８〜１０までの構成要素はタック紙を素材とし、１１はボール紙を示している。
図３は見出片１ａと１ｂにタイトル等を記入した状態を示している。
図４は見出し片を貼る箇所の表材を剥す為の切込２ａ，２ｂを目立さないようにするための箔押し１２ａ，１２ｂを施した状態を示す。
図５は表紙の製造過程の主要なる部分を図示したものである。タック紙にて形成されたベースの紙１０、接着剤９、剥離紙８のベースの紙のほうを背側のボール紙１１に貼ったものを、同様にボール紙で出来た表表紙３、と裏表紙５用のボール紙と３枚並べて表材７の裏面に貼った状態を示している。
【図面の簡単な説明】
【０００７】
【図１】本発明の斜視図
【図２】背部から見出し片を貼る部位を剥離した状態を示す
【図３】見出し片１ａ及び見出し片１ｂを示す表面図
【図４】箔押し等で切り込み部を目立たなくした状態を示す
【図５】表紙の主要なる製造過程の一部を示す
【符号の説明】
【０００８】    １ａ，１ｂ  見出し片
２  切込部
３  表表紙
４  背
５  裏表紙
６  台紙
７  表材
８  剥離紙
９  接着剤
１０  ベースの紙
１１  ボール紙
１２ａ，１２ｂ  箔押し又はシルクスクリーン
【図１】
2007022052.tif 000003
【図２】
2007022052.tif 000004
【図３】
2007022052.tif 000005
【図４】
2007022052.tif 000006
【図５】
2007022052.tif 000007
(57)【要約】【課題】メモ内容を第三者に安易に見られないよう配慮し、かつ、紛失防止にも配慮したメモ用紙を提供する。【解決手段】用紙の下部に弱粘性の接着剤を一定幅で塗布しておき、中央やや上に横方向の折れ目を入れ、上方に谷折りすることで上辺部と下辺部を接着させてメモ内容を被覆可能とし、かつ、ボードや机などにも貼付、仮固定を可能としたメモ用紙。【選択図】図１
2007022055.tif 000002
【特許請求の範囲】
【請求項１】
用紙の下部に弱粘性の接着剤を一定幅で塗布しておき、中央やや上方に横方向の折れ線を入れ、谷折りすることでメモ内容を被覆可能とし、かつ、ボードや机などにも貼付、仮固定を可能としたメモ用紙。
【請求項２】
用紙の下部に弱粘性の接着剤を一定幅で塗布しておき、中央やや上方に横方向の折れ線を入れ谷折りすることで、用紙の上辺と下辺とを接着させてメモ内容を被覆可能としたメモ用紙。
【発明の詳細な説明】
【技術分野】
【０００１】  メモ内容を第三者の目に直接触れないよう簡易に被覆可能とし、かつ、ボード、机などに一時的に貼付、仮固定しておかれるよう配慮した、個人情報保護に対応したメモ用紙に関するものである。
【技術背景】
【０００２】  従来のメモ用紙には、個人情報保護に配慮したものがなかった。
【発明の開示】
【発明が解決しようとする課題】
【０００３】そのために次のような問題点があった。
（イ）メモ内容を容易に第三者に見られてしまう可能性があった。
（ロ）メモを裏返しにしておいて置くと、直接第三者の目には触れないものの、目立たず周囲の物品に紛れ込んだり、吹き飛んだりして紛失してしまうことがあった。
【課題を解決するための手段】
【０００４】  メモ用紙の中央よりやや上に、谷折りが出来るよう横方向の折れ線を入れておく。用紙下部には弱粘着性の接着剤を一定の幅で塗布しておき、上方に折り畳んだ際にはメモ用紙の上辺と下辺が接着すると同時に、下部の接着面が上辺より少しはみ出るようにしておく。これにより、ボードや机などに貼付、仮固定できるようにする。以上を特徴とする被覆型仮固定式のメモ用紙である。
【発明の効果】
【０００５】  本発明により、メモ用紙に記載された伝言内容が第三者に安易に見られる心配がなくなる。すなわち、個人情報に配慮したメモ用紙といえる。同時に、容易に紛失しないよう、一時的に貼付、仮固定しておくことも可能となる。
【発明を実施するための最良の形態】
【０００６】以下、本発明の実施の形態を説明する。
（イ）本体は使用用途に応じた適当な大きさの用紙よりなる。
（ロ）この用紙の中央よりやや上方に、簡単に折り畳み出来るよう、横方向の折り目（あるいは点線）を入れておく。この折り目は、上方に谷折りした際に、用紙の下辺が上辺部を少しはみ出すような位置に設けるものとする。
（ハ）一方、この用紙の下部には、一定の幅で弱粘着性の接着剤を塗布しておく。この接着剤の幅は、上方に谷折りした際に用紙の上辺と下辺部同士が接着すると同時に、はみ出た部分の接着面が机やボードなどに一時的に貼付しておかれる程度のものとする。
（ニ）上方に折り畳んだ際に表となる面（もともとは用紙の裏面）に、至急、重要などの文字を大きな赤字などで印刷しておき、目立つように工夫を凝らす。
本発明は以上の構成よりなっている。
本考案を使用するときには、用紙に必要な内容をメモする。折り目に合わせて谷折りに、下辺を上辺に合わせるようにして用紙を畳み込み、用紙の上辺部分と下辺部分とを接着させる。このときには、下辺部分が上辺部分に対して少しはみ出た状態となっている。次に、用紙を谷折りしたことにより表面となった部分に印刷されている至急、重要などの文字を必要に応じて丸で囲み、必要事項を書き入れる。はみ出た部分に塗布されている接着面で、ボード、机などに貼付する。
【図面の簡単な説明】
【０００７】
【図１】本発明の斜視図
【図２】本発明の被覆、貼付状態を示す側面図
【図３】本発明の被覆、使用状態を示す斜視図
【符号の説明】
【０００８】  １  メモ用紙
２  折れ線
３  弱粘着性接着剤塗布面
【図１】
2007022055.tif 000003
【図２】
2007022055.tif 000004
【図３】
2007022055.tif 000005
(57)【要約】      （修正有）【課題】バイオマスを炭素と水素に分解・分離する方法を提供する。【解決手段】バイオマスを乾留より固定炭素と揮発分に分離し残留炭素の燃焼熱によりタール分を加熱しカーボンと水素に分解しカーボンを取除き水素を圧縮貯蔵し燃料として利用する。分解窯により分離した揮発分を吸引管により吸引圧縮し燃焼ガスで加熱された過熱室へ噴射しオイルファーネス法により水素と炭素に分解し比重差を利用し炭素を除き必要とする水素を吸引圧縮しタンクに蓄える。【選択図】なし【特許請求の範囲】
【請求項１】
００１  吸引管を二重にし吸引口をずらし揮発分の出入りをコントロールする
００２  吸引管内の揮発分をピストンで圧縮し吸引管先端より加熱室にノズルより噴射する
００３  加熱室の周りを燃焼ガスを循環させ加熱する
００４  加熱室外壁を厚くし蓄熱をはかり分解の確実を図る
００５  加熱後の燃焼ガスをバイオマス乾燥時の水蒸気と混合しタービンを回し運転エネルギーを賄う
００６  加熱室はテーパー状にし分解を確実なものにする
００７  加熱室の後に冷却室を設け水素とカーボンの分離を促進する
００８  冷却室の熱でバイオマスを乾燥する
００９  冷却室に堆積したカーボンを冷却室底より休止時に吸引し取除く
０１０  冷却室をテーパー状にし分離を確実なものにする
０１２  サイクルを持たせ分解分離をすすめる
【発明の詳細な説明】
【社会的状況と利用分野】
化石燃料の消費による地球環境の悪化  石油枯渇によるエネルギー危機
バイオマス廃棄物の増大による環境の悪化  これらのことはバイオマスに適正に係ることにより解決することが出来る
【発明が解決しようとする課題】
バイオマスガスを分解し水素を分離すること
【課題を解決する手段】
分解窯により分離した揮発分を吸引管により吸引圧縮し燃焼ガスで加熱された過熱室へ噴射謝しオイルファーネス法により水素と炭素に分解し比重差を利用し炭素を除き必要とする水素を吸引圧縮しタンクに蓄える
吸引管は二重にし吸引口をずらし逆流を避けピストンを押し上げノズルより噴射し分解を進める
加熱室の周りに燃焼ガスを流し加熱する
加熱室を先細にし確実な分解を図る
加熱室は余裕をもった大きさでつくり蓄熱を図り分解を確実なものとする
加熱室の後に冷却室を設け水素と炭素の分離の確実性をはかる
冷却室底に堆積した炭素を休止時に吸引し取除く
処理は吸引と圧縮を繰り返す
冷却室は先を細め炭素と水素の分離を確実なものにする
【発明の効果】
バイオマスより効率的に水素が得られエネルギーが自給可能となり安心して生きられる
(57)【要約】【課題】  型開きの際に、ネジ部分のガラスと型との干渉量を小さくすることで、「びり」の発生する確率を低くする。【解決手段】  ガラスびん口部の合目部分のやせネジの断面形状を、一般部分のネジの断面形状ａと、該形状ａを所定量引き込んだ形状ｂの間の両山裾に接線ｃを形成し、接線ｃと前記形状ａとの接点をｐ、前記形状ｂとの接点をｑとしたときに、接点ｑ、ｑの間の形状が前記形状ｂ、接点ｐとｑの間の形状が前記接線ｃ、接点ｐ、ｐの両側の形状が前記形状ａとなるように形成することで、型開きの際のネジ部分のガラスと型との干渉量を小さくし、「びり」の発生を抑制できる。【選択図】      図５
2007022538.tif 000002
【特許請求の範囲】
【請求項１】
ガラスびん口部の合目部分のやせネジの断面形状を、
一般部分のネジの断面形状（ａ）と、該形状（ａ）を所定量引き込んだ形状（ｂ）の間の両山裾に接線（ｃ）を形成し、接線（ｃ）と前記形状（ａ）との接点を（ｐ）、前記形状（ｂ）との接点を（ｑ）としたときに、接点（ｑ）、（ｑ）の間の形状が前記形状（ｂ）、接点（ｐ）と（ｑ）の間の形状が前記接線（ｃ）、接点（ｐ）、（ｐ）の両側の形状が前記形状（ａ）となるように形成したことを特徴とするガラスびん。
【発明の詳細な説明】
【技術分野】
【０００１】
本発明は、口部にキャップを螺合するためのネジを有するガラスびんに関する。
【背景技術】
【０００２】
図１に示すように、ガラスびん１の口部のネジ２は、成形型の合目ｅの付近において、その他の部分よりも小さく形成されている。この小さく形成されている部分を「やせネジ」という。成形型は概略半円形の２つの割型を合わせることによって形成されるが、その割型の合わせ目が「合目」である。合目においては、ガラスがわずかの隙間からはみ出して、小さな突条が形成されるので、その部分のネジを若干小さく形成し、キャップのネジが損傷するのを防いでいる。
【０００３】
図２は、一般部分のネジ２とやせネジ３の大きさ及び形状を比較したものである。成形型のネジ部分は、当該部分をドリルで切削して形成する。やせネジ部分は、型に対してドリルの刃を浅く入れて形成する。したがって、やせネジの基本形状は、一般部分のネジを所定量引き込んだ形状ｂと等しくなっている。しかし、そのままだとやせネジの裾部分が尖った形になり、その部分に欠点が生じやすくなるので、裾部分が曲線ｄとなるように型を２次加工している。
【０００４】
成形型は、ガラスびん成形後に両側に開いて製品を脱型する。図１において、ガラスびんの口部を成形する口型は、合目から矢印方向に左右に開く。その際、ネジ２が水平であれば問題ないのであるが、ネジは傾斜しているものであるため、ネジと型とが干渉して、いわゆる「無理抜き」の状態となる。図３は、合目部分をやせネジとせず、一般部分と同じネジにした場合の、型開きの様子を表している。型開きすると、ネジ部分のガラスは型に対して、相対的に、矢印Ｂ方向に傾斜して離れていくことになる。そしてネジ部分のガラスと型が干渉する干渉部Ａが生じる。干渉部における干渉量が大きいと、その部分に「びり」と呼ばれる傷が生じ、ガラスの強度が著しく低下する。
【０００５】
従来、合目部分をやせネジとすることは、型開きにおける干渉量を少なくする効果もあると信じられていた。しかし、発明者らは、図２に示す一般部分のネジ２と従来のやせネジ３について、型開きの際の干渉量を計算した。図３は一般部分のネジ、図４はやせネジの場合である。驚いたことに、一般部分のネジとやせネジでは干渉量が０．０７５ｍｍで等しい値であった。すなわち、従来のやせネジは干渉量を小さくする効果は全くなかったのである。
【発明の開示】
【発明が解決しようとする課題】
【０００６】
従来、ガラスびんのネジの合目には、ある程度の確率で「びり」が発生し、それは避けられないものと思われていた。本発明は、型開きの際に、ネジ部分のガラスと型との干渉量を小さくすることで、「びり」の発生する確率を低くすることを課題としてなされたものである。
【課題を解決するための手段】
【０００７】
本発明は、ガラスびん口部の合目部分のやせネジの断面形状を、一般部分のネジの断面形状ａと、該形状ａを所定量引き込んだ形状ｂの間の両山裾に接線ｃを形成し、接線ｃと前記形状ａとの接点をｐ、前記形状ｂとの接点をｑとしたときに、接点ｑ、ｑの間の形状が前記形状ｂ、接点ｐとｑの間の形状が前記接線ｃ、接点ｐ、ｐの両側の形状が前記形状ａとなるように形成したことを特徴とするガラスびんである。
【実施例】
【０００８】
図５は実施例のガラスびんのやせネジ３の形状を示している。同図において、ａは一般部分のネジ形状（断面形状）で、ネジ高さは１．３ｍｍである。ｂはネジ形状ａを０．３ｍｍ水平に引き込んでネジ高さ１．０ｍｍとした形状である。形状ａとｂの間の上下両山裾の間に２本の接線ｃを引き、各接線ｃと形状ａとの接点をｐ、形状ｂとの接点をｑとする。やせネジ３の断面形状は、２つの接点ｑの間を形状ｂとし、接点ｐと接点ｑの間を接線ｃとし、２つの接点ｐの両側を形状ａとし、これらの形状を合成した形状（実線で示す形状）となっている。
【０００９】
図６は、上記実施例のやせネジの型開きの様子を表している。この場合、ネジ部分のガラスと型の干渉量は０．０３５ｍｍとなり、干渉量は従来の半分以下となっている。したがって、ネジの合目部分のびりの発生を著しく低減することができる。
【図面の簡単な説明】
【００１０】
【図１】ガラスびんの略正面図である。
【図２】従来のやせネジの説明図である。
【図３】合目を一般部分のネジとした場合の型開きの説明図である。
【図４】合目を従来のやせネジとした場合の型開きの説明図である。
【図５】実施例のガラスびんのやせネジの説明図である。
【図６】実施例のガラスびんの型開きの説明図である。
【符号の説明】
【００１１】
１  ガラスびん
２  ネジ
３  やせネジ
【図１】
2007022538.tif 000003
【図２】
2007022538.tif 000004
【図３】
2007022538.tif 000005
【図４】
2007022538.tif 000006
【図５】
2007022538.tif 000007
【図６】
2007022538.tif 000008
(57)【要約】      （修正有）【課題】小容量無停電電源装置（装置）の梱包箱の開梱作業や再梱包作業を容易にし、装置の保守，交換を容易にする梱包箱構造を提供する。【解決手段】従来は、装置の梱包箱を完全に開梱した状態で交換，保守等の作業をしていたため時間と手間が掛かったが、この発明では梱包箱４はその正面側および背面側を開き、さらに緩衝材２を取り除いた状態で装置１の交換，保守等の作業ができるようにしたことで、作業のための時間と手間を従来のものより大幅に短縮することができる。このとき、梱包箱４の左側，右側を開く必要はなく、緩衝材３を取り除く必要もないのは勿論である。【選択図】図１
2007022553.tif 000002
【特許請求の範囲】
【請求項１】
小容量無停電電源装置の梱包箱を、少なくとも正面側および背面側から開梱可能に形成しておくとともに、前記梱包箱の正面側および背面側を開いた状態で、緩衝材をその正面側と背面側からそれぞれ取り出し可能な形状に予め形成しておくことを特徴とする小容量無停電電源装置の梱包箱構造。
【請求項２】
前記小容量無停電電源装置の梱包箱を正面側と背面側を開き緩衝材を取り出した状態で、装置の保守または交換を可能にしたことを特徴とする請求項１に記載の小容量無停電電源装置の梱包箱構造。
【発明の詳細な説明】
【技術分野】
【０００１】
この発明は、小容量無停電電源装置（以下、単に装置とも略称する）の梱包箱構造に関する。
【背景技術】
【０００２】
この種の装置は通常、鉛蓄電池を搭載している。鉛蓄電池は放置したままでは劣化し、３〜６ヶ月間隔で定期的な補充電が必要である。また、長期に放置した場合には、鉛蓄電池の交換が必要になる。補充電に当っては、装置の背面部にある入力部より電源供給が必要であり、鉛蓄電池の交換時には装置の前面部より鉛蓄電池を交換する必要がある。また、装置は例えば特許文献１にも示すような梱包箱を利用して輸送される。
【０００３】
図３は従来例を説明するための説明図、図４は図３で用いる梱包箱の例を示す外観図である。
ここでは、装置１の前後上下の４隅に同一形状のＬ字型の緩衝材５を４個用い、さらに装置１の左右に平板状の緩衝材６を２個配置したものである。鉛蓄電池の補充電や交換時には、これらの緩衝材５，６を取り除いた後、装置１を図４に示す梱包箱７から取り外す必要がある。
【０００４】
【特許文献１】特開平０７−３１５４７４号公報
【発明の開示】
【発明が解決しようとする課題】
【０００５】
しかし、上記梱包箱はその開梱作業や再梱包作業に多大の時間を要するという難点がある。また、開梱後の梱包箱の保管や管理にも時間と手間が掛かるという問題がある。
したがって、この発明の課題は、梱包箱の開梱作業や再梱包作業を容易にし、装置の保守または交換を容易にすることにある。
【課題を解決するための手段】
【０００６】
このような課題を解決するため、請求項１の発明では、小容量無停電電源装置の梱包箱を、少なくとも正面側および背面側から開梱可能に形成しておくとともに、前記梱包箱の正面側および背面側を開いた状態で、緩衝材をその正面側と背面側からそれぞれ取り出し可能な形状に予め形成しておくことを特徴とする。
この請求項１の発明においては、前記小容量無停電電源装置の梱包箱を正面側と背面側を開き緩衝材を取り出した状態で、装置の保守または交換を可能にすることができる（請求項２の発明）。
【発明の効果】
【０００７】
この発明によれば、梱包箱を完全に開梱するのではなく、いわば部分的に開梱するだけで済むので、開梱のための時間と手間が短縮される。また、再梱包も途中からで良いので時間と手間を短くできる。この発明によれば、開梱や再梱包のための時間が、約３０％削減される。
【発明を実施するための最良の形態】
【０００８】
図１にこの発明の実施の形態を示す。
図示のように、装置１の前後には平板状の緩衝材２を配置し、また、装置の上下は同一形状のＵ字型の緩衝材３により挟んで構成される。鉛蓄電池の補充電や交換時には、図２に示す梱包箱４を、図１に示すように装置１の正面側および背面側を開き、さらに緩衝材２を取り除くことにより、鉛蓄電池の補充電や交換が簡単にでき、このままの状態で運転も開始することができる。したがって、梱包箱４は少なくとも正面側および背面側からは開けられ、その状態で緩衝材２が取り除けることができる構造，形状となっている。図１では梱包箱４の左側，右側を開いているがその必要はなく、また、緩衝材３は取り除く必要のないことは言うまでもない。
【０００９】
再梱包時には、梱包箱４の正面側および背面側を開き、さらに緩衝材２を取り除いた状態（梱包箱４の左側，右側は閉じ、緩衝材３は装着されたまま）から作業を開始すればよいので、作業の時間と手間が従来よりも大幅に削減されることになる。
【図面の簡単な説明】
【００１０】
【図１】この発明の実施の形態を示す斜視図
【図２】図１で用いる梱包箱の例を示す外観図
【図３】従来例を説明するための説明図
【図４】図３で用いる梱包箱の例を示す外観図
【符号の説明】
【００１１】
１…装置（小容量無停電電源装置）、２，３，５，６…緩衝材、４，７…梱包箱。
【図１】
2007022553.tif 000003
【図２】
2007022553.tif 000004
【図３】
2007022553.tif 000005
【図４】
2007022553.tif 000006